(57)【特許請求の範囲】
【請求項１】
地中に埋設されるマンホールの取付管用穴に可撓性ゴムソケットを取付固定する方法に於いて、前記取付管用穴内に嵌入される可撓性ゴムソケットの元部外周面に所定のテーパーを予め形成し、かつ該可撓性ゴムソケットの元部の内周面に拡張バンドを挿入すると共に、拡径ジャッキで該拡張バンドを押し拡げて拡張バンドを可撓性ゴムソケットの元部内周面に当接固定し、この状態で該可撓性ゴムソケットの元部を外周面のテーパーを利用しながらその内部の取付管と共にマンホールの取付管用穴内に強制嵌入させて可撓性ゴムソケットと及び取付管とをマンホールに取付固定させることを特徴としたマンホールに於けるゴムソケットの取付方法。
【発明の詳細な説明】
【０００１】
【発明の属する技術分野】
本発明はマンホールに穿設された取付管用穴内に可撓性ゴムソケットを取付ける方法に係り、特に現場に特殊な機具を持って行って作業することなく、可撓性ゴムソケットをマンホールに簡単に取付固定するとを可能とした取付方法に関するものである。
【０００２】
【従来の技術】
従来、可撓性ゴムソケットをマンホールの取付管用穴に取付固定するに当たっては、マンホールを設置した現場に於いて、マンホールの取付管用穴内に可撓性ゴムソケットの元部を挿入し、その後で該可撓性ゴムソケットの元部の内周面にステンレス製の拡張バンドを当接し、拡径ジャッキを使用しながら拡張バンドを徐々に拡張させて、拡張バンドの作用で可撓性バンドの元部を取付管用穴の内周面に密着させて可撓性ゴムソケットをマンホールに取付けていた。
【０００３】
【発明が解決しようとする課題】
然るに、前述の従来の場合には、現場に於いて、可撓性ゴムソケットを取付管用穴内に挿入し、その後で可撓性ゴムソケットの元部内周面に当接し、更に拡径ジャッキを使用しながら拡張バンドを徐々に拡張させて、可撓性ゴムソケットの元部を取付管用穴に取付固定しなければならないので、作業が煩雑で作業能率が悪い問題があった。更に拡径ジャッキを必然的に現場に持参しなければならず、忘れて持参しなかった場合には、工事の施工が出来ない問題があった。
【０００４】
本発明に係るマンホールに於けるゴムソケットの取付方法は、前述の従来の問題点に鑑み開発された全く新しい技術であって、予め可撓性ゴムソケットの元部外周面に所定のテーパーを設けると共に、該元部の内周面に拡張バンドを予め取付けておき、現場に於いては前記元部外周面のテーパーと可撓性ゴムソケットの弾力性とを利用することによって、この可撓性ゴムソケットの元部をマンホールの取付管用穴に強制的に挿入して取付固定させることが出来るようにした技術を提供するものである。
【０００５】
【課題を解決するための手段】
本発明に係るマンホールに於けるゴムソケットの取付方法は、前述の従来の問題点を根本的に改善した技術であって、その発明の要旨は、地中に埋設されるマンホールの取付管用穴に可撓性ゴムソケットを取付固定する方法に於いて、前記取付管用穴内に嵌入される可撓性ゴムソケットの元部外周面に所定のテーパーを予め形成し、かつ該可撓性ゴムソケットの元部の内周面に拡張バンドを挿入すると共に、拡径ジャッキで該拡張バンドを押し拡げて拡張バンドを可撓性ゴムソケットの元部内周面に当接固定し、この状態で該可撓性ゴムソケットの元部を外周面のテーパーを利用しながらその内部の取付管と共にマンホールの取付管用穴内に強制嵌入させて可撓性ゴムソケットと及び取付管とをマンホールに取付固定させることを特徴としたマンホールに於けるゴムソケットの取付方法である。
【０００６】
【発明の実施の形態】
図により本発明に係るマンホールに於けるゴムソケットの取付方法の一実施例を具体的に説明すると、図１は本発明に係る方法を実施してゴムソケットをマンホールに取付けた状態の斜視説明図、図２は図１のゴムソケットの元部をマンホールの取付管用穴に挿入する状態の縦断面説明図。図３はゴムソケットをマンホールに取付固定した後の縦断面説明図である。
【０００７】
図１乃至図３に於いて、本発明に係るマンホールに於けるゴムソケットの取付方法について説明すると、１は地中に埋設されるマンホールであって、その所定位置には取付管用穴２が穿設されている。３は該取付管用穴２に挿入される可撓性ゴムソケットであって、その元部３ａの外周面には、元部３ａの端縁に行くに従って外径が小さくなるようなテーパー４が設けられている。
【０００８】
可撓性ゴムソケット３の先端部外周面には、複数の突条５が並列して設けられ、これ等の間にステンレス製締付バンド６を安定した状態で巻締めすることが出来るように構成されている。７は取付管であって、マンホール１の取付管用穴２に挿入固定される管であって、ヒューム管より構成されている。取付管７は前記可撓性ゴムソケット３内に挿通されると共に、可撓性ゴムソケット３の先端部は、前記ステンレス製締付バンド６を介して、この取付管７に締付固定されている。
【０００９】
８は拡張バンドであって、これを使用することによって、前記可撓性ゴムソケット３の元部３ａの内径を拡張し得るように構成されている。この拡張バンド８を可撓性ゴムソケット３の元部３ａに取付けるに当たっては、拡張バンド８を可撓性ゴムソケット３の元部３ａの内周壁に当接し、この状態で拡径ジャッキ（図示せず）で可撓性ゴムソケット３を拡径することによって、可撓性ゴムソケット３の径を大きくすると共に、可撓性ゴムソケット３の内周面に拡張バンド８を一体的に取付固定することが出来る。
【００１０】
本発明に係る取付方法の実施に当たっては、次のような工程によって構成せしめることが出来る。即ち、元部３ａの外周面に所定のテーパー４が予め形成された可撓性ゴムソケット３の該元部３ａの内周面に、予め工場内等で拡張バンド８を挿入すると共に、拡径ジャッキで拡張バンド８を押し拡げて拡張バンド８を可撓性ゴムソケット３内に取付固定して構成する。
【００１１】
次に、現場に於いて、可撓性ゴムソケット３内に取付管７を挿通し、可撓性ゴムソケット３の先端部の外周面の突条５間にステンレス製締付バンド６を巻き付けて締付けることによって、可撓性ゴムソケット３の先端部を取付管７に取付固定する。続いて、この状態で、可撓性ゴムソケット３の元部３ａの外周面のテーパーと元部３ａの弾力性とを利用しながら、その内部の取付管７と共に、可撓性ゴムソケット３の元部をマンホール１の取付管用穴２内に強制嵌入させることによって、可撓性ゴムソケット３と取付管７とをマンホール１に取付固定することが出来る。
【００１２】
上記実施例に於いては、可撓性ゴムソケット３に取付管７を取付固定した後から、可撓性ゴムソケット３をマンホール１に取付固定したが、この方法とは逆に、可撓性ゴムソケット３をマンホール１に取付固定した後で、可撓性ゴムソケット３内に取付管７を挿通して取付固定することも可能である。
【００１３】
【発明の効果】
本発明に係るマンホールに於けるゴムソケットの取付方法は、上述の構成を有するので、次のような多大な効果を有している。
【００１４】
（１）可撓性ゴムソケットの元部には予め所定のテーパーを設けたので取付管と一緒に可撓性ゴムソケットの元部をマンホールの取付管用穴に強制的に挿入することによって、現場で取付管をマンホールに簡単に取付けることが出来る。（２）従って、現場に拡径ジャッキが無い場合にも、可撓性ゴムソケットと取付管とを一緒に容易にマンホールの取付管用穴に取付固定することが出来る。（３）現場に障害物があって、取付管用穴の位置が急に変更される場合等にも、簡単に対応することが出来る。（４）取付作業が単純で簡単である。
【図面の簡単な説明】
【図１】本発明に係る方法を実施してゴムソケットをマンホールに取付けた状態の斜視説明図である。
【図２】図１のゴムソケットの元部をマンホールの取付管用穴に挿入する状態の縦断面説明図である。
【図３】ゴムソケットをマンホールに取付固定した後の縦断面説明図である。
【符号の説明】
１      マンホール                ２      取付管用穴
３      可撓性ゴムソケット        3a      元部
４      テーパー                  ５      突条
６      締付バンド                ７      取付管
８      拡張バンド
【図１】
0003694356.tif 000002
【図２】
0003694356.tif 000003
【図３】
0003694356.tif 000004